(57)【要約】      （修正有）【課題】トラバースユニットをフレームに装着したディスク装置であって、トラバースユニットがフレームから外れ落ちないディスク装置を提供する。【解決手段】  トラバースホルダーの側部先端には突軸を外方向へ突出すると共に、基部にはガイドボスを突出し、フレームの一方側壁３５ａには穴３８を形成し、該穴３８の位置には両ガイドリブ３６ａ，３６ａが隙間４７を介して起立している。一方の側壁３５ｂ側には水平リブ３９ｂを形成すると共に一部を切欠いて挿入部４１とし、上記と同一高さに隙間４７を介してガイドリブ３６ｂ，３６ｂを起立している。正面側には垂直ガイド溝４３，４３を設け、トラバースユニットのシャーシ後方端は弾性リングを介してフレームに連結し、トラバースホルダーの該突軸を水平リブ３９とガイドリブ３６とで拘束すると共に該ガイドボスを垂直ガイド溝４３，４３に、正面部に突出した該ボスはスライドカムのカム溝に遊嵌する。【選択図】    図６
2005158203.tif 000002
【特許請求の範囲】
【請求項１】
ターンテーブルや光ピックアップなどの部品を取付けたトラバースシャーシの正面側を挟み込む概略コ型のトラバースホルダーを取付けたトラバースユニットをフレームに装着したディスク装置において、上記トラバースホルダーの側部にはリブを突出すると共に側部先端には突軸を外方向へ突出し、また側部の基部にはガイドボスを外方向へ突出し、フレームの一方側壁には前後方向へ延びる穴を形成し、該穴の位置には側壁から内側へ突出した基部から両ガイドリブを隙間を介して起立し、他方の側壁側には水平リブを形成すると共に一部を切欠いて挿入部とし、上記基部と同一高さに設けた基部からは間に隙間を介してガイドリブを起立し、また正面側には垂直ガイド溝を設け、トラバースユニットのシャーシ後方端は弾性リングを介してフレームに連結し、トラバースホルダーの突軸を水平リブとガイドリブとで挟み込んで側部に突出したリブを上記ガイドリブ間の隙間に嵌入して拘束すると共にガイドボスをガイド溝に遊嵌し、正面部に突出したボスはスライドカムのカム溝に遊嵌したことを特徴とするトラバースユニットの脱落防止手段を備えたディスク装置。
【請求項２】
上記、一方の水平リブ及びガイドリブは側壁から内側へ張出した張出し部に形成した請求項１記載のトラバースユニットの脱落防止手段を備えたディスク装置。
【請求項３】
上記ガイドリブを、高ガイドリブ部と低ガイドリブ部及び高低ガイドリブ部の中間に位置する傾斜ガイドリブ部とで構成した請求項１、又は請求項２記載のトラバースユニットの脱落防止手段を備えたディスク装置。
【発明の詳細な説明】
【技術分野】
【０００１】
本発明はトラバースユニットのホルダーとフレームの連結部における強度を向上すると共に、トラバースユニットの脱落を防止する手段を備えたディスク装置に関するものである。
【背景技術】
【０００２】
トレイに載ったディスクは該トレイの搬入と共に再生位置へ移動し、ここでトラバースユニットが上昇することでディスクはターンテーブルに装着され、その後クランプされる。逆に、再生されたディスクを取り出す場合には、トラバースユニットが降下することで装着されているディスクはトレイに載置されて、該トレイと共に搬出される。
【０００３】
図９はディスク装置側面の断面図を示しているが、(ａ)ではトレイ１が搬出された状態で、トラバースユニット２は斜めに降下している。そこで、トレイ１にディスクを載置して装置内へ搬入するならば、トラバースユニット２が上昇してディスクはターンテーブル３に装着され、しかもクランパー４にて挟み込まれてクランプされる。
【０００４】
上記トラバースユニット２の先端にはボス５が設けられ、該ボス５はスライドカム６のカム溝に嵌っていて、スライドカム６が左右にスライドすることで(上記図９では奥行き方向へスライドすることで)トラバースユニット２は昇降動することが出来る。
【０００５】
このように、上記トラバースユニット２はフレームに取付けられ、後方端を支点としてトラバースホルダーが上下動するが、トラバースユニット２にはターンテーブル及びピックアップ等が取付けられて上記フレームに装着される。すなわち、フレームに形成されている空間に斜めから挿入されて、保持機構によって安定して支持され、しかもガタ付かない構造と成っている。
【０００６】
特開２００３−１９６９５１号に係る「ディスク記録又は再生装置及び該装置の組立方法」は、メカニズムデッキ(トラバースユニット)の取付け作業性を改善し、外部から衝撃が加わってもメカニズムデッキを正しく昇降することを目的としている。そこで、ディスクを回転させるターンテーブルを備えて該スライド体に連繋して昇降するメカニズムデッキは、ターンテーブルが取付けられたサブシャーシと、スライド体に嵌合しサブシャーシを支持する枠体を備えている。シャーシにはクランパー支持板とシャーシの間を通ってスライド体に嵌合した姿勢にある枠体を上下に揺動可能に支持する保持機構が設けられている。又、枠体からは、保持機構に支持されて、枠体の上下ガタを規制する突軸が外向きに設けられ、該突軸には枠体の横方向のガタ付きを防ぐ突起が設けられている。
【０００７】
従って、シャーシにクランパー支持板を取付けたままメカニズムデッキをシャーシに取付けることが出来るために作業性が良くなる。また、突軸が保持機構に支持されて、上下ガタが規制されるから、外部から衝撃が加わってもメカニズムデッキがスライド体及びシャーシから外れることはない。従って、メカニズムデッキを正しく昇降させることが出来る。
【０００８】
しかし、トラバースホルダーとフレームとの連結部において、規制部分を形成する為にフレーム側を肉抜きする為に、該フレームの強度が低くなって製品としての信頼性が低下する。又、ディスク装置のフレームを成形する金型において、キャビティ型及びコア型の２面金型に加え、トラバースホルダーの受部を形成する為のスライドコア型が必要であり、金型は複雑になる。そして、フレームに取付けるトラバースホルダーの軸に形成する突起が組立作業性を考慮して水平面に対して一定の角度を設けて形成される為、トラバースホルダーの金型も複雑になる。
【特許文献１】特開２００３−１９６９５１号に係る「ディスク記録又は再生装置及び該装置の組立方法」
【発明の開示】
【発明が解決しようとする課題】
【０００９】
このように、従来のディスク装置には上記のごとき問題がある。本発明が解決しようとする課題はこれら問題点であり、トラバースホルダーとフレームとの連結部における強度を向上すると共に、取付けられたトラバースユニットが外れ落ちないように信頼性の高いディスク装置を提供する。一方、フレーム及びトラバースホルダーを成形する為の金型形状を簡略することが出来る脱落防止手段を備えたディスク装置を提供する。
【課題を解決するための手段】
【００１０】
本発明に係るトラバースユニットの脱落防止手段を備えたディスク装置は、トラバースユニットを支持するフレームに保持機構が設けられ、トラバースホルダーは保持機構に支持され、上下及び左右のガタが発生しないように規制されている。すなわち、概略コ型をしてトラバースシャーシを挟み込むトラバースホルダーの側部先端には突軸が外方向へ突出して設けられ、該突軸はフレームに設けている水平リブに接して支持される。
【００１１】
上記水平リブに対向してガイドリブが上側に形成され、ガイドリブは所定の間隔をおいて対を成して設けられる。そしてトラバースホルダーの突軸は水平リブに載って支持されると共にガイドリブにて押えられ、該突軸がガタ付かないようになる。又、トラバースホルダーの両側部からはリブが突出しており、このリブがガイドリブ間の隙間に嵌入して軸方向の位置決めが成される。
【００１２】
一方、トラバースホルダーの上記突軸はトラバースユニットが上下動する支軸となり、トラバースホルダーの側部には上記突軸の他にガイドボスが外方向へ突出して設けられている。そして、フレームに形成した垂直ガイド溝にガイドボスが遊嵌して、トラバースユニットの上下動に伴ってスライドすることが出来る。従って、トラバースユニットはトラバースホルダーの両側部に設けたリブがガイドリブ間の隙間に嵌って左右方向の位置決めが行われ、ガイドボスが垂直ガイド溝に遊嵌することで前後方向の位置決めが行われて、トラバースユニットはフレームから外れ落ちることはない。
【００１３】
本発明では、突軸をガタ付くことなく支持する水平リブ及びガイドリブはフレームと一体化して成形され、同じくガイドボスが遊嵌するガイド溝を形成する垂直リブもフレームと一体成形されて高い強度が得られる。
【発明の効果】
【００１４】
本発明のディスク装置は、トラバースユニットをフレームに取付ける場合、フレームの底から空間へ斜め方向に挿入し、トラバースホルダーの突軸はフレームに形成した水平リブに載って支持され、しかも上側がガイドリブに接してガタ付くことなく支持される。又、トラバースユニットのガイドボスはフレームに形成したガイド溝に遊嵌することで、トラバースユニットは安定して上下動し、フレームから外れ落ちることはない。
【００１５】
上記、水平リブ、ガイドリブ、及び垂直ガイド溝を形成する垂直リブはフレームと一体化して成形され、その為に強度は高くなる。又、これら水平リブ、ガイドリブ、並びに垂直リブをフレームと一体化して成形する場合、上型と下型との組合せで製作できる為に、金型の製作も簡単となる。すなわち、スライドコア型が不要となる。
【実施例】
【００１６】
図１はディスク装置を示す外観図である。正面中央部にはディスクを載置して出し入れするトレイ１１が突出し、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早送りボタン、１２ｃは早戻しボタン、１２ｄはスキップボタン、１２ｅはトレイオープンボタンとして機能させることが出来る。
【００１７】
そして、プッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１８】
図２は本発明のディスク装置の内部構造を示している平面図であり、トレイ１１が開いている状態を示している。トレイ１１の上面には円形の浅い溝が形成されていて、該溝にディスクが嵌ってセットされる。又下面側にはトレイラック１５が前後方向に設けられ、該トレイラック１５に沿って概略Ｌ型のトレイガイド溝１６を設けている。そしてトレイラック１５にはトレイ開閉ギア１７が噛み合い、トレイガイド溝１６にはカムロッドボス１８が遊嵌している。
【００１９】
上記のトレイ開閉ギア１７は送りモータ１９にて回転駆動され、該トレイ開閉ギア１７が回転することでトレイラック１５及びトレイ１１は後退して閉じることが出来る。該トレイ１１は定められた距離を前進・後退動することで開閉することになるが、概略Ｌ型のトレイガイド溝１６はトレイラック１５と平行を成す縦ガイド溝２０とトレイラック１５に対して垂直を成す横ガイド溝２１、及び縦ガイド溝２０と横ガイド溝２１の間に形成されるコーナーガイド溝２２から成っている。又、縦ガイド溝２０の後方端部は湾曲して延びている。
【００２０】
従って、トレイ１１が開く為に前進する場合、縦ガイド溝２０に遊嵌しているカムロッドボス１８が湾曲部２３に差し掛かることで該トレイ１１は停止する。又トレイ１１が閉じる為に後退する場合、縦ガイド溝２０に遊嵌しているカムロッドボス１８がコーナーガイド溝２２に差し掛かることで該トレイ１１は停止する。すなわち、トレイガイド溝１６に沿ってカムロッドボス１８が動き、スライドカム２４もトレイガイド溝１６に沿って移動する。
【００２１】
図３はトレイ１１が後退して閉じた状態であり、カムロッドボス１８はトレイガイド溝１６のコーナーガイド溝２２に位置している。従って、スライドカム２４は右方向へ移動し、トレイラック１５から外れたトレイ開閉ギア１７はスライドカム２４の片端部に設けているスライドカムラック２５と噛み合うことになる。そしてトレイ開閉ギア１７が引き続き回転するならば、カムロッドボス１８が横ガイド溝２１に沿ってスライドし、スライドカムラック２５を右方向へ送ると共に上記スライドカム２４は右方向へ移動する。
【００２２】
ところで、図３に示すようにトレイが後退してトレイに載置されているディスクが所定の位置にある状態で、トラバースユニットが上昇するならば、ディスクはターンテーブルに装着される。そして、クランパーにてクランプされ、ディスクが回転すると共に、ピックアップが移動して記録・再生が行われる。このようなトラバースユニットの動作は従来のディスク装置と同じであるが、本発明では該トラバースユニットが安定してフレームに取付けられて上下動し、そしてフレームから外れない支持構造と成っている。
【００２３】
図４はトラバースユニットを単独で示した具体例である。該トラバースユニットはトラバースシャーシ２６とトラバースホルダー２７で構成され、トラバースシャーシ２６とトラバースホルダー２７とは弾性リング２８，２８を介して連結されている。トラバースホルダー２７は正面部２９と両側部３０，３０を有す概略コ型を成している。正面部２９にはボス３１が正面側に突出し、側部先端には突軸３２，３２が外方向へ突出し、又側部基部にはガイドボス３３，３３が外方向へ突出している。
【００２４】
上記トラバースシャーシ２６にはターンテーブルや光ピックアップ等が取付けられ、このように構成されたトラバースユニットはディスク装置のフレームに装着される。図５はトラバースユニットをフレームに装着した場合で、ディスク装置の底面を示している。トラバースユニットのトラバースシャーシ２６の後方端は弾性リング２８を介してフレームと連結し、トラバースホルダー２７の両突軸３２，３２は保持機構にて支持され、ガイドボス３３，３３はフレームに形成している垂直ガイド溝に遊嵌している。
【００２５】
そして、トラバースホルダー２７の正面部２９に設けているボス３１はスライドカム２４に設けているカム溝に嵌っていて、スライドカム２４が左右にスライドすることでトラバースユニットは昇降動することが出来る。この場合、突軸３２，３２はトラバースユニットが上下動する基軸となり、ガイドボス３３，３３は垂直ガイド溝に沿って上下スライドすることが出来る。
【００２６】
図６はトラバースユニットが装着されるフレームの底部を示す斜視図である。このフレームは前記図５に示すトラバースユニットを斜め方向から内部空間に挿入して装着出来るように保持機構及び垂直ガイド溝が形成されている。フレーム側壁３５ａには突軸３２が嵌入する穴３８が形成され、該穴３８の位置に側壁３５ａに面してガイドリブ３６ａ，３６ａが所定の間隔をおいて設けられている。
【００２７】
ガイドリブ３６ａ，３６ａは側壁３５ａから内側へ延びる基部３７ａから立ち上がっていて、互いに平行を成し、しかもその高さは異にし、高ガイドリブ部、低ガイドリブ部、及び傾斜ガイドリブ部で構成され、その為に穴３８の高さ寸法も違っている。そして、穴３８の下側(同図では上側)は水平リブ３９ａと成っている。ところで、トラバースユニットを構成するトラバースホルダー２７に設けている突軸３２は低ガイドリブ部側の穴３８に嵌入して、高ガイドリブ部側の穴３８へ移行して位置決めされる。
【００２８】
一方、反対側の側壁３５ｂには内側へ大きく張出した張出し部４０を設け、該張出し部４０には水平リブ３９ｂを形成している。そして、上記側壁３５ａ側と同じように、張出し部４０からは基部３７ｂが突出し、この基部３７ｂからガイドリブ３６ｂ，３６ｂが起立している。張出し部側には穴は設けられていないが、水平リブ３９ｂを切欠いて挿入部４１を有している。
【００２９】
ところで、トラバースユニットを装着する場合、一方の突軸３２を穴３８に挿入すると共に、他方の突軸３２は挿入部４１に嵌める。そして、両突軸３２，３２をガイドリブ３６ａ，３６ｂに沿って移行し、高ガイドリブ部と水平リブ３９ａ，３９ｂとの間にガタ付くことなく嵌めることが出来る。一方、トラバースホルダー２７のガイドボス３３，３３は垂直ガイド４２，４２に沿って形成されている垂直ガイド溝４３，４３に遊嵌することが出来る。
【００３０】
図７はガイドリブ３６ａと穴３８と、水平リブ３９ａとの関係を示している詳細図である。ガイドリブ３６ａは穴３８の位置に側壁３５ａに面して設けられ、ガイドリブ３６ａの高さが変化することで穴３８の高さ寸法が位置に応じて変化している。すなわち、ガイドリブ３６ａは高ガイドリブ部４４、低ガイドリブ部４５、傾斜ガイドリブ部４６から成っていて、低ガイドリブ部４５の位置にある穴３８の高さ寸法は大きく、高ガイドリブ部４４の位置にある穴３８の高さ寸法は小さく成っている。
【００３１】
同図は前記図６と一致させる為に逆向きで表しているが、実際のフレームでは水平リブ３９ａが下側に位置し、ガイドリブ３６ａは上側に位置している。そこで、低ガイドリブ部４５の位置にある穴３８にトラバースホルダー２７の突軸３２を嵌め、この位置から高ガイドリブ部４４の穴位置へ移行する。従って、高ガイドリブ部４４の位置で、穴３８に嵌った突軸３２は水平リブ３９ａとで挟み込まれてガタ付くことなく位置決めされる。
【００３２】
図８はトラバースホルダー２７の両突軸３２，３２が水平リブ３９ａ，３９ｂとガイドリブ３６ａ，３６ｂとの間に嵌って位置決めされている場合を示している。そして、先端に突軸３２，３２を有している両側部３０，３０にはリブ４８，４８が突出しており、このリブ４８，４８は両ガイドリブ３６ａ，３６ａと３６ｂ、３６ｂの間に形成している隙間４７に嵌入することで位置が規制されている。
従って、トラバースホルダー２７は水平リブ３９とガイドリブ３６とに挟まれ、リブ４８，４８がガイドリブ３６ａ，３６ａと３６ｂ，３６ｂ間の隙間４７に嵌入することで左右方向の位置決めがされる。又、トラバースホルダー２７のガイドボス３３，３３は垂直ガイド溝４３，４３に遊嵌することで、ディスク装置の前後方向(トレイのスライド方向)への位置が定まり、トラバースユニットがフレームから外れ落ちることはない。
【００３３】
そして、トラバースホルダー２７の正面ボス３１はスライドカム溝に遊嵌していて、スライドカム２４が左右方向へスライドするならば、ボス３１は上下動すると共に、トラバースユニットも昇降動することが出来る。
【図面の簡単な説明】
【００３４】
【図１】ディスク装置の外観図。
【図２】ディスク装置の内部構造図。
【図３】トレイを後退させた場合のディスク装置の内部構造図。
【図４】トラバースユニットの具体例。
【図５】トラバースユニットをフレームに装着した場合の底面図。
【図６】フレームの底部斜視図。
【図７】穴と水平リブとガイドリブとの関係を示す詳細図。
【図８】突軸が水平リブとガイドリブとに挟まれてフレームに取付けられているトラバースユニット。
【図９】ディスク装置の側部断面図。
【符号の説明】
【００３５】
11  トレイ
14  キャビネット
15  トレイラック
16  トレイガイド溝
26  トラバースシャーシ
27  トラバースホルダー
28  弾性リング
29  正面部
30  側部
31  ボス
32  突軸
33  ガイドボス
34  内部空間
35  側壁
36  ガイドリブ
37  基部
38  穴
39  水平リブ
40  張出し部
41  挿入部
42  垂直ガイド
43  垂直ガイド溝
44  高ガイドリブ部
45  低ガイドリブ部
46  傾斜ガイドリブ部
47  隙間
48  リブ
【図１】
2005158203.tif 000003
【図２】
2005158203.tif 000004
【図３】
2005158203.tif 000005
【図４】
2005158203.tif 000006
【図５】
2005158203.tif 000007
【図６】
2005158203.tif 000008
【図７】
2005158203.tif 000009
【図８】
2005158203.tif 000010
【図９】
2005158203.tif 000011